(57)【特許請求の範囲】
【請求項１】
インクを吐出するノズルを有する記録ヘッドと、前記記録ヘッドをキャップするキャッピング機構とを有し、所定方向に搬送される記録媒体に対して前記記録ヘッドのノズルからインクを吐出することにより画像を記録する記録装置において、
テスト指示の入力に応じて、前記記録ヘッドを前記キャッピング機構でキャップしていない状態で前記ノズルを大気中に露出する暴露時間を設定し、設定された前記暴露時間が経過する迄前記キャッピング機構を、前記記録ヘッドをキャップしていない状態に保持し、前記暴露時間が経過すると前記記録ヘッドを動作させてインク増粘をテストするためのテスト画像を印字させる制御を実行する制御手段を有し、
前記制御手段は前記テスト画像として、前記所定方向に所定の幅を持った帯状のパターンを前記記録ヘッドを動作させて記録媒体上に複数記録させることを特徴とする記録装置。
【請求項２】
更に、前記装置内の温度条件及び湿度条件を検知する検知手段を有し、前記制御手段は前記検知手段により検知される温度条件及び湿度条件に応じて前記暴露時間を変更して設定し、前記暴露時間は同一の温度条件に対しては湿度条件が高くなる程長く、また同一の湿度条件に対しては温度条件が高くなる程長く設定されることを特徴とする請求項１に記載の記録装置。    
【請求項３】
更に、前記装置内の温度条件及び湿度条件を検知する検知手段を有し、前記制御手段は前記検知手段により検知される温度条件及び湿度条件に応じて前記所定幅を変更して設定し、前記所定幅は同一の温度条件に対しては湿度条件が高くなる程小さく、また同一の湿度条件に対しては温度条件が高くなる程小さく設定されることを特徴とする請求項１に記載の記録装置。
【請求項４】
インクを吐出するノズルを有する記録ヘッドと、前記記録ヘッドをキャップするキャッピング機構とを有し、前記記録ヘッドのノズルから所定方向に搬送される記録媒体に対してインクを吐出することにより画像を記録する記録装置における、インクの増粘をテストするインク増粘テスト方法において、
テスト指示の入力に応じて、前記記録ヘッドを前記キャッピング機構でキャップしていない状態で前記ノズルを大気中に露出する暴露時間を設定し、
設定された前記暴露時間が経過する迄前記キャッピング機構を、前記記録ヘッドをキャップしていない状態に保持し、
前記暴露時間が経過すると前記記録ヘッドを動作させて、インク増粘をテストするためのテスト画像を印字させ、
前記テスト画像は、前記所定方向に所定の幅を持った帯状のパターンが前記記録媒体上に複数記録された画像であることを特徴とするインク増粘判別方法。
【請求項５】
更に、前記装置内の温度条件及び湿度条件を検知し、検知される温度条件及び湿度条件に応じて前記暴露時間を、同一の温度条件に対しては湿度条件が高くなる程長く、また同一の湿度条件に対しては温度条件が高くなる程長くなる様に変更して設定することを特徴とする請求項４に記載のインク増粘判別方法。    
【請求項６】
更に、前記装置内の温度条件及び湿度条件を検知し、温度条件及び湿度条件に応じて前記所定幅を、同一の温度条件に対しては湿度条件が高くなる程小さく、また同一の湿度条件に対しては温度条件が高くなる程小さくなる様に変更して設定することを特徴とする請求項１に記載のインク増粘判別方法。
【発明の詳細な説明】
【技術分野】
【０００１】
本発明は、インクジェット記録に用いるインクの粘度判定方法、及びインク粘度判定する為のテストパターンを具えた記録装置に関する。
【背景技術】
【０００２】
記録ヘッド（印字ヘッド）に形成された複数のノズルのインク吐出口から記録媒体にインク（インク滴）を吐出して画像を形成するインクジェット方式の記録装置（インクジェットプリンタ）が広く使用されている。
【０００３】
上記のような記録装置には、周知の回復動作等の際にノズルから排出したインクを画像記録に再び使用するリサイクルタイプのものがある。この方式の記録装置では、リサイクル中にインクから水分が蒸発してインクの色材濃度が上昇して増粘する（インクの粘度が高くなる）ことがある為、所望の画質が得られなくなる懸念がある。
【０００４】
そこで、例えば想定インク残量と実インク残量の差からインク希釈液の量を求め、インク希釈液を添加することによりインクの粘度を調整し、記録性能と画質低下を防止する技術が知られている。
（例えば、特許文献１参照）
ところで、周知のように回復動作の際には、フェイス面（複数のインク吐出口が形成された面）をゴム製のキャップで塞いでおき、このキャップにインク吐出口からインクを排出する。キャップに吐出されたインクは回収されて再利用される。
【０００５】
特に、印字待機中や長時間の電源ＯＦＦ時に、キャップに吐出されたインクからは水分が蒸発するのでインクの粘度が上昇する。粘度が急激に上昇した(以下増粘)インクは、記録ヘッドの吐出特性が急変し、通常の駆動条件では、吐出不可能になり、記録ヘッドのヒータ部の断線や焦げの要因となる。
【０００６】
特に顔料インクを使用する場合、インク回収経路で、凝集し易い顔料がインク流路を塞いだり、記録ヘッドのノズルを詰まらせて回復できない印字不良を引き起こす要因となる。
【０００７】
インクの増粘を検知する手段としては、インク粘度検知センサやインクを観察するカメラを装置本体内に設置しておく技術が知られているが、センサやカメラを設置するので高コストになる。
【０００８】
【特許文献１】特開２００１−０１００８７号公報
【発明の開示】
【発明が解決しようとする課題】
【０００９】
本発明は上記事情に鑑み、低コストでインクの増粘状況を判別することが可能なインク粘度判定方法及び記録装置を提供することを目的とする。
【課題を解決するための手段】
【００１０】
本発明による記録装置は、インクを吐出するノズルを有する記録ヘッドと、前記記録ヘッドをキャップするキャッピング機構とを有し、所定方向に搬送される記録媒体に対して前記記録ヘッドのノズルからインクを吐出することにより画像を記録する記録装置において、  テスト指示の入力に応じて、前記記録ヘッドを前記キャッピング機構でキャップしていない状態で前記ノズルを大気中に露出する暴露時間を設定し、設定された前記暴露時間が経過する迄前記キャッピング機構を、前記記録ヘッドをキャップしていない状態に保持し、前記暴露時間が経過すると前記記録ヘッドを動作させてインク増粘をテストするためのテスト画像を印字させる制御を実行する制御手段を有し、  前記制御手段は前記テスト画像として、前記所定方向に所定の幅を持った帯状のパターンを前記記録ヘッドを動作させて記録媒体上に複数記録させることを特徴とする。
又本発明によるインク増粘テスト方法は、インクを吐出するノズルを有する記録ヘッドと、前記記録ヘッドをキャップするキャッピング機構とを有し、前記記録ヘッドのノズルから所定方向に搬送される記録媒体に対してインクを吐出することにより画像を記録する記録装置における、インクの増粘をテストするインク増粘テスト方法において、テスト指示の入力に応じて、前記記録ヘッドを前記キャッピング機構でキャップしていない状態で前記ノズルを大気中に露出する暴露時間を設定し、設定された前記暴露時間が経過する迄前記キャッピング機構を、前記記録ヘッドをキャップしていない状態に保持し、前記暴露時間が経過すると前記記録ヘッドを動作させて、インク増粘をテストするためのテスト画像を印字させ、  前記テスト画像は、前記所定方向に所定の幅を持った帯状のパターンが前記記録媒体上に複数記録された画像であることを特徴とする。
【発明の効果】
【００１１】
本発明によれば、低コストでインクの増粘状況を判別することが可能となる。
【発明を実施するための最良の形態】
【００１２】
本発明を実施するための最良の形態に関して、以下に図を用いて詳細に説明する。
【実施例１】
【００１３】
図１は、本発明によるインク粘度判定のテストを実行可能な記録装置の一例を示す正面図である。
【００１４】
記録装置１００は、不図示のホストＰＣ（パソコン）に接続され、記録命令や画像データを受信する。記録装置１００には、４本の記録ヘッド１０２、１０３、１０４、及び１０５が記録媒体（ここではロ−ル紙Ｐ）の搬送方向に並列に配置されている。
【００１５】
記録ヘッド１０２、１０３、１０４、及び１０５からはそれぞれブラック、シアン、マゼンタ、イエローの各色のインクが吐出される。インクは各々交換可能なインクカートリッジ１０６（ブラック）、１０７（シアン）、１０８（マゼンタ）、及びインクカートリッジ１０９（イエロー）から対応するサブタンク１１６、１１７、１１８、及び１１９を経由して各々の記録ヘッド１０２、１０３、１０４、及び１０５に供給される。
稀釈液タンク３０７は各色のサブタンク１０６〜１０９に稀釈液を注入するものであり、後述する。
【００１６】
記録ヘッド１０２、１０３、１０４、及び１０５は、所謂ラインヘッドであり、記録幅は図１のロ−ル紙Ｐの奥行き方向に延びている。各記録ヘッドの最大記録幅は、ロ−ル紙Ｐの幅よりもやや広く設計される。記録動作中これらの記録ヘッドは記録位置で静止する。
【００１７】
記録ヘッド１０２、１０３、１０４、及び１０５の安定した記録性能を維持できるよう、各記録ヘッドに対応した回復ユニット（キャッピングユニット）１１２、１１３、１１４、及び１１５を具えている。
【００１８】
図１の回復ユニットは６色分が示されているが、このうち空き２色分は記録ヘッド追加時の予備的な機構である。回復ユニット１１２〜１１５は、周知のワイパブレード、キャップ等から構成されている。
【００１９】
ロ−ル紙Ｐに画像を形成する際には、搬送中のロ−ル紙Ｐの記録開始位置がブラックの記録ヘッド１０２の下に到達した後に、記録データ（画像情報）に基づいて記録ヘッド１０２（ブラック）からブラックインクを選択的に吐出する。同様に記録ヘッド１０３（シアン）、記録ヘッド１０４（マゼンタ）、記録ヘッド１０５（イエロー）の順に、各色のインクを吐出してカラー記録する。
【００２０】
図２は本発明を実施した記録装置１００の電気的なブロック図である。
【００２１】
ホストＰＣ２００から送信された記録データやコマンドはインタフェースコントローラ２０１を介してＣＰＵ２０２に受信される。ＣＰＵ２０２は、プリンタ１００の記録データの受信、記録動作、そしてロ−ル紙Ｐのハンドリング等、全般の制御を掌る演算処理装置である。尚インタフェースコントローラ２０１内部には独立した別のＣＰＵを具える場合もある。
【００２２】
ＣＰＵ２０２では、受信したコマンドを解析した後に、記録データの各色成分のイメージデータをイメージメモリ２０７にビットマップ展開して描画する。記録前の動作処理としては、出力ポート２２０、モータ駆動部２２１を介してキャッピングモータ２１５とヘッドアップダウンモータ２１４を相互に駆動し、各記録ヘッド１０２〜１０５をキャッピング機構１１２〜１１５のキャップ位置から記録位置に移動させる。
【００２３】
続いて、同じく出力ポート２２０、モータ駆動部２２１を介してロ−ル紙Ｐを繰り出す給紙モータ２１６を駆動、そしてロ−ル紙Ｐを搬送する搬送モータ２１２等を駆動開始するためにサーボロジック回路２１０に所望の搬送速度に対応した指示速度値を書き込む。搬送モータ２１２のモータ軸、又は不図示の搬送ローラ軸にはロータリエンコーダ２１３が結合され、ロール紙Ｐの動きに同期したパルスが出力される。
【００２４】
用紙Ｐに仮付けされた複数のラベルが繰り出されて先端検知センサ１２０により到来したラベルの先端が検知され、前述のロータリエンコーダ２１３の出力とによってサーボロジック回路２１０内部のＵ／Ｄ（Up/Down）カウンタ（不図示）でラベルの最新位置を正確に示すことが出来る。
【００２５】
又サーボロジック回路２１０はロータリエンコーダ２１３からの出力パルスのパルス間隔の逆数に比例した値から搬送されるラベルの最新の搬送速度を求めて、前述の指示速度値となるようにフィードバック制御を行なう。
【００２６】
以上から記録開始する切り出しタイミングを決定出来るので、ロ−ル紙Ｐの搬送に同期して、ＣＰＵ２０２はイメージメモリ２０７から対応する色の記録データを順次読み出し、記録ヘッド制御回路２１９を経由し、各記録ヘッド１０２〜１０５に記録データを転送する。
【００２７】
各記録ヘッド１０２〜１０５内部には温度センサ２０９を内蔵し、Ａ／Ｄコンバータ２０８を介してＣＰＵ２０２は順次読み出すことが出来る。
【００２８】
又記録装置１００内部の温度、湿度を検知するための温湿度センサ２１０の出力もＡ／Ｄコンバータ２０８を介して読み出し可能である。
【００２９】
さらに、ＣＰＵ２０２内部には後述する暴露時間を測定するタイマ（不図示）も組み込まれている。
【００３０】
上記ＣＰＵ２０２の動作はプログラムＲＯＭ２０３に記憶された処理プログラムに基づいて実行される。
【００３１】
又、後述するインク粘度判定の為のテスト記録の手順は同じくプログラムＲＯＭ２０３に記憶されている。このインク粘度判定テストは、記録された画像の画質によってユーザが適宜判断することもあるが、記録ヘッド１０２〜１０５の交換後所定期間（例えば１ヶ月）経過した時等に実行される。
【００３２】
ＣＰＵ２０２はこの他、作業用のメモリとしてワークＲＡＭ２０４を使用する。記録ヘッド１０２〜１０５のクリーニングや回復動作時に、ＣＰＵ２０２は、出力ポート２２０、モータ駆動部２２１を介してポンプモータ２１７を駆動し、インクの加圧、吸引等の制御を行なう。
【００３３】
記録ヘッド１０２〜１０５の取り付けから生じるメカ的な記録位置ズレを微小に補正する電気的な補正値等、記録装置１００固有のパラメータ等は不揮発性のメモリであるＥＥＰＲＯＭ２０５に記憶される。
【００３４】
本発明に関わる粘度判定の為のテスト記録の指示は通常ホストＰＣ２００から行なうが、オペレーションパネル１２１上の操作キーや表示器からの入力によっても実行できる。
【００３５】
図３は、本発明の記録装置１００のインク供給経路を示す模式図で、交換可能なインクタンクからサブタンクにインクを補給する状態を示す。各構成要素はインク色がブラックの場合を代表的に説明するが、他のインク色も同様である。
【００３６】
供給弁３０３を開き、ポンプ３０４を駆動するとインクタンク１０６内部のインク３０１はフィルタ３０２、供給弁３０３、ポンプ３０４を経由してサブタンク１１６に補給され、インク残量検知センサ３０５が満タンを検知する迄続くが所定時間内に満タンに達しない場合にはインクタンク１０６のインク３０１が空になったと判断し、インクタンク交換要求を表示することができる。
【００３７】
防カビ剤添加した純水３０８を貯蔵する希釈液タンク３０７に関しては後述する。
【００３８】
次に図４では、同じく記録動作中の状態を示す。インク色はブラックを代表的に説明するが、他のインク色もほぼ同様である。
【００３９】
サブタンク１１６の大気連通弁３０６は開いた状態で、記録ヘッド１０２の多数のノズルから用紙Ｐに画像が形成されるが、吐出されたインク量に応じて記録ヘッド１０２内部の液室４０４には負圧が生じ、サブタンク１１６からフィルタ４０２、４０３を介してインクが移動する。
【００４０】
続いて図５に記録ヘッド１０２が健全な記録性能を維持、又は回復するための回復動作に入った状態を示す。回復弁４０１を最初に閉じ、記録ヘッド１０２はキャッピング機構１０５にてキャップされた状態に戻る。そして加圧ポンプ５０１を駆動すると、サブタンク１１６のインクがフィルタ４０３を介して移動するが、回復弁４０１が閉じているので液室４０４のインクは急激に加圧され、記録ヘッド１０２の各ノズルから比較的多量のインクが瞬時に強制排出されるので、ノズルは健全な状態に回復される。
【００４１】
強制排出されたインクはキャッピング機構１０５のインク溜まり４０５に一時的に溜まろうとするが、予めリサイクル弁５０５を開き、ポンプ３０４が動作しているので、インクは排出口５０３〜リサイクル弁５０５〜ポンプ３０４の経路でサブタンク１１６に回収、リサイクルされる。従って記録装置内部のインクは徐々に水分が蒸発しインクの濃度が増加する傾向になるので、希釈が必要になる。
【００４２】
図６に希釈液の注入方法を説明する。
【００４３】
先ずキャッピング機構１０５側から戻る経路のリサイクル弁５０５を閉じ、希釈液３０８の入った希釈液タンク３０７側の弁６０１を開く。
【００４４】
そしてポンプ３０４を駆動し、希釈液３０８を弁６０１〜ポンプ３０４の経路でサブタンク１１６に注入する。この際サブタンク１１６内部の攪拌用ブレード６０２を予め回転させて、内部のインク濃度を平均化する。
【００４５】
希釈液３０８は例えば純水に防カビ剤を添加したものであり、本実施例で示すブラックインクに限らず他のインク色にも共通に使用できる。
【００４６】
尚、図５にて説明した加圧による回復動作とは別に、インク吐出口からインクを予備的に吐出させる簡易な回復動作もある。この予備的な吐出（予備吐）の実行条件について図７を用いて説明する。
【００４７】
図７―１における温度と湿度は、記録装置内部の温湿度センサ１２６（図２参照）で測定される。そして
表に記入された時間（秒）は、記録ヘッドのノズル面がキャッピング機構から外れ、大気にさらされても安定した記録性能が保たれる許容時間の一例を示しており、例えば装置内部温度が１０〜１５[℃]で且つ内部の湿度が５０〜７０[％ＲＨ]の範囲では、許容時間は３５秒となる。これらの許容時間を考慮しなければならない理由は主として次のようなことがあげられる。
【００４８】
例えばラインヘッドを考えると印字する画像パターンによって、インクを継続的或いは断続的に吐出するノズルがあり、その一方吐出動作がされない状態が続くノズルも考えられる。
適度な頻度で吐出されるノズル近傍のインクはリフレッシュされるので粘度は高くなりにくいが、使用されないノズル近傍ではインクの増粘が進み、記録は不安定になり易い。増粘は周囲条件で大きく異なるので、図７―１の如く許容時間は温湿度によりテーブル形式で持つことが好ましい。
【００４９】
図７―１はＲＯＭ２０３に記憶され、通常の記録動作中、予備吐動作を実行するか否かの判定に使用される。
【００５０】
図８は、水分蒸発率と粘度の関係を示すグラフであり、インクの種類によって関係は異なる。
【００５１】
本実施例に用いたインクの場合、記録動作可能なインク粘度許容範囲は６[ｍｐａ／ｓ]未満であり、６[ｍｐａ／ｓ]以上の粘度の状態で使用し続けると、吐出不良から起こるノズルヒータの過熱等で回復不能な故障を引き起こす懸念がある。
【００５２】
次に、図９を用いて本発明のインク粘度判定方法を説明する。
【００５３】
図９-１は、２５[℃]／６０[％ＲＨ]環境下で、記録ヘッドのノズル面がキャッピング機構から外れて図の暴露時間だけ大気にさらされてから、記録開始し、その後記録が安定するまでに必要な吐出数を示すグラフであり、インク粘度をパラメータとしたものである。
【００５４】
横軸が暴露時間（秒）で、縦軸は記録が安定するまでに必要な吐出数である。
【００５５】
１００秒暴露した後に安定した記録画像が得られるのに必要な吐出数は、
粘度６[ｍｐａ／ｓ]：  ３０００[dot]
〃  ４[ｍｐａ／ｓ]：  １５００[dot]
〃  ２[ｍｐａ／ｓ]：    ５００[dot]
である。
【００５６】
従って、例えば２５[℃]／６０[％ＲＨ]環境下でヘッドを１００秒暴露して、例えば、図１０のようなテスト画像パターンを形成する場合を説明する。テスト画像パターンの１行分１００１は搬送方向１００[dot]分で構成する。
【００５７】
もしも図１０−１に示すような画像記録結果が得られたなら、内部のインク粘度は、６[ｍｐａ／ｓ]以上と非常に高くそのままでは画質の維持は困難なので、インクタンク交換し、更に希釈液注入によるインクのリフレッシュの必要がある。
【００５８】
又、図１０―２に示すような画像記録結果が得られたなら、内部のインク粘度は、４[ｍｐａ／ｓ]程度と考えられ、インクタンクを交換するほどではないにしても、希釈液注入によりインク粘度を下げる必要がある。
【００５９】
図１０―３に示すような画像記録結果が得られた場合には、内部のインク粘度は２[ｍｐａ／ｓ]以内で良好と考えられ、インク交換や希釈液注入の必要はない。
【００６０】
図中のｂは記録開始時の不安定領域で、ａは記録の安定領域である。
【００６１】
図９−２は、１５[℃]／１０[％ＲＨ]環境下で、記録ヘッドのノズル面がキャッピング機構から外れて図の暴露時間だけ大気にさらされてから、記録開始し、その後記録が安定するまでに必要な吐出数を示すグラフであり、インク粘度をパラメータとしたものである。
【００６２】
横軸が暴露時間（秒）で、縦軸は記録が安定するまでに必要な吐出数である。
【００６３】
この図では８０秒暴露した後に安定した記録画像が得られるのに必要な吐出数は、
粘度６[ｍｐａ／ｓ]：  ３０００[dot]
〃  ４[ｍｐａ／ｓ]：  １５００[dot]
〃  ２[ｍｐａ／ｓ]：    ５００[dot]
である。
【００６４】
従って、例えば１５[℃]／１０[％ＲＨ]環境下で粘度判定パターンを実行する場合には、暴露時間を８０秒に減らして、前述と同様図１０のようなテスト画像を形成させてみる。
【００６５】
前述と同様、図１０−１に示すような画像記録結果が得られたなら、内部のインク粘度は、６[ｍｐａ／ｓ]以上と非常に高く、そのままでは画質の維持は困難なのでインクタンク交換し、更に希釈液注入によるインクのリフレッシュの必要がある。
【００６６】
又、図１０−２に示すような画像記録結果が得られたなら、内部のインク粘度は、４[ｍｐａ／ｓ]程度と考えられ、インクタンクを交換するほどではないにしても、希釈液注入によりインク粘度を下げる必要がある。
【００６７】
図１０−３に示すような画像記録結果が得られた場合には、内部のインク粘度は２[ｍｐａ／ｓ]以内で良好と考えられ、インク交換や希釈液注入の必要はない。
【００６８】
図９−３は、２０[℃]／８０[％ＲＨ]環境下で、記録ヘッドのノズル面がキャッピング機構から外れて図の暴露時間だけ大気にさらされてから、記録開始し、その後記録が安定するまでに必要な吐出数を示すグラフであり、インク粘度をパラメータとしたものである。
【００６９】
横軸が暴露時間（秒）で、縦軸は記録が安定するまでに必要な吐出数である。
【００７０】
この図では前述２つの周囲条件とは異なり湿度が高い為、暴露時間２４０秒と比較的長時間経過した後記録開始して、安定した記録画像が得られるのに必要な吐出数が、
粘度６[ｍｐａ／ｓ]：  ３０００[dot]
〃  ４[ｍｐａ／ｓ]：  １５００[dot]
〃  ２[ｍｐａ／ｓ]：    ５００[dot]
との結果を得ている。
【００７１】
従って、例えば２０[℃]／８０[％ＲＨ]環境下で粘度判定パターンを実行する場合には、暴露時間を２４０秒に増加して、前述と同様図１０のようなテスト画像を記録する。
【００７２】
前述と同様、図１０−１に示すような画像記録結果が得られたなら、内部のインク粘度は、６[ｍｐａ／ｓ]以上と非常に高く、そのままでは画質の維持は困難なのでインクタンク交換し、更に希釈液注入によるインクのリフレッシュの必要がある。
【００７３】
又、図１０−２に示すような画像記録結果が得られたなら、内部のインク粘度は、４[ｍｐａ／ｓ]程度と考えられ、インクタンクを交換するほどではないにしても、希釈液注入によりインク粘度を下げる必要がある。
【００７４】
図１０−３に示すような画像記録結果が得られた場合には、内部のインク粘度は２[ｍｐａ／ｓ]以内で良好と考えられ、インク交換や希釈液注入の必要はない。
【００７５】
また、図９−３からも明らかなように、インク粘度が６[ｍｐａ／ｓ]程度のインクでは、例えば１２０秒暴露した後に安定した画像が形成できるまでに、１５００[dot]必要というデータが予め得られているので、もしも２０[℃]／８０[％ＲＨ]環境下で１２０秒間暴露後に図１０−２のような結果が得られたら、使用中のインクの粘度は６[ｍｐａ／ｓ]と判定できる。
【００７６】
１２０秒という暴露時間では４[ｍｐａ／ｓ]か、それとも２[ｍｐａ／ｓ]かの判定はできないものの、使用限度外の増粘したインクの判定時間は短縮できる。
【００７７】
上記のように、記録装置１００の内部又はその周辺の温度及び湿度に対応する暴露時間を予め決めておき、インクの粘度判定テストを実行する。また、本発明のインク粘度判定テスト方法は、インクの種類に対応する暴露時間を予め設定しておき、粘度判定テストを実行できる。
このインク粘度判定テスト方法の手順を図１１のフローチャートに基づいて説明する。
【００７８】
インク粘度判定テストは、ユーザが記録装置１００の粘度判定テストボタン（図示せず）を押すことにより開始される。なお、一定時間ごとにインク粘度判定テストを実行するシーケンスをプログラムＲＯＭ２０３（図２参照）に記憶させておいてもよい。記録装置１００のＣＰＵ２０２は先ず、温湿度センサ２１０（図２参照）の値を読み出し、記録装置１００内部の温度と湿度に変換〜検知する（１１０１）。
【００７９】
これら温度と湿度に基づいて図７−２から暴露時間τを決定し（１１０２）、待機位置でキャップされていた記録ヘッド１０２〜１０５を、記録位置に移動させる（１１０３）。そして記録ヘッド１０２〜１０５が大気中に暴露している状態を、暴露時間τだけ保つ（１１０４）。この暴露時間が経過した時点で（１１０４-Yes ）、インク粘度判定用のテストパターンを記録する（１１０５）。
【００８０】
尚記録装置１００内部の温湿度〜暴露時間τ変換テーブル（図７−２）はＲＯＭ２０３に記憶されている。
【００８１】
上記の実施例では、図７−２のテーブルを一つだけ使用したが、このテーブルは、使用するインク種(例えば、顔料インク、染料インク)又はインクの色によって異なるので、増粘テストの際の暴露時間が大きく相違する場合は、インク種、色によって独立にテーブルを持つべきである。この場合は、記録ヘッド（Ｋ）１０２、記録ヘッド（Ｃ）１０３、記録ヘッド（Ｍ）１０４、及び記録ヘッド（Ｙ）１０５の各インク粘度判定テストは時分割で実行することになる。
【００８２】
図７−３は、本発明の別の実施形態によるインク粘度判定用テストパターン開始前の暴露時間テーブルである。
【００８３】
増粘していると思われるインク（例えばブラック）の判定する際に暴露時間は一定にして(例えば１０秒)、記録装置１００内部の温湿度条件によって、記録する画像の搬送方向のドット数を可変させたものである。
【００８４】
この場合、図７−３記載のドット数の画像後端部近傍が不安定であれば、インクの粘度は６．０[ｍｐａ／ｓ]に達しており、画像後端部に不吐が見られなければ、インクの粘度は６．０[ｍｐａ／ｓ]未満で、使用可能領域であると判断できる。
【００８５】
図７−３により、記録装置１００内部が例えば、２０[℃]／６０[％ＲＨ]において、ヘッド暴露時間10秒で、テストパターンの連続的な記録ドット数は、３００[dot]が自動的に選択される。インクの色、或いは種類によって選択されるテストパターンも独立なテーブルを持つことが出来る。
【００８６】
本発明によるインク粘度判定用パターンは、ノズル毎に吐出適性にばらつきがある為、判定の信頼性を向上する為に全てのノズルを用いた判定用パターンが好ましい。
【００８７】
本発明によるインク粘度判定の結果、インクの粘度は６．０[ｍｐａ／ｓ]を超え、新たなインクカートリッジからのインク供給によるリフレッシュする場合、ＣＰＵ２０２の動作フローについて図１２を用いて説明する。
【００８８】
新たなインクカートリッジに交換されたことが検知されると（１２０１-Yes）、先ず該当カートリッジからサブタンクへのインク供給を既に述べた方法（図３）にて開始し（１２０２）、サブタンク内の攪拌ブレード６０２も不図示のアクチュエータによりＯＮする（１２０３）。そしてサブタンクが満タン検知されると（１２０４-Yes）インク供給は停止する（１２０７）。所定時間経過してもサブタンクが満タンにならない場合（１２０５-Yes）、インクカートリッジが空になったと判断して更に新しいカートリッジに差し替えることを要求する警報を送出する（１２０６）。
【００８９】
インク供給が終わると次に稀釈液タンクから稀釈液が所定量注入される（１２０８）。サブタンクの満タン検知後に注入されるが、少なく共前記稀釈液の注入でサブタンクからインク溢れが生じないよう設計される。続いてサブタンク〜記録ヘッド間のインク経路、及び記録ヘッドの液室内インクをリフレッシュするため、ポンプ５０１を駆動してインク循環動作を開始する（１２０１９）。尚このときには回復弁４０１は開いておき、記録ヘッドからサブタンクへのリターン路が形成されている。インク循環時には記録ヘッド内部にある圧力がかかり、ノズルから回復機構１０５のインク溜まり５０２に僅かながらインクが排出されるので、これを回収、再利用するリサイクル系ポンプ３０４もＯＮする（１２１０）。
【００９０】
そして所定時間経過したら（１２１１-Yes）インク循環は終了する（１２１２）。さらに所定時間経過すると（１２１３-Yes）リサイクル系のポンプもＯＦＦし（１２１４）、最後に攪拌ブレードの回転も停止して（１２１５）インクリフレッシュ動作は完了する。
【００９１】
本発明によるインク粘度の判定結果からインクカートリッジの交換はせず、稀釈液注入のみ行ないインク粘度を低減して適正化する場合もあるが、その方法に関しては図１２の説明にほぼ包含されるのでここでは省略する。
【産業上の利用可能性】
【００９２】
本発明の記録装置は高速で且つヘビーデューティのラベルプリンタや大判のカラープリンタ等、とりわけインクのリサイクル可能なラインプリンタ高級機への利用で高画質を維持する為の動作信頼性を格段に向上できる。
【図面の簡単な説明】
【００９３】
【図１】本発明を実施した記録装置を模式的に示す図である。
【図２】本発明を実施した記録装置の電気的なブロック図である。
【図３】サブタンクへのインク補給を示す模式図である。
【図４】記録動作時のインクの流れを示す模式図である。
【図５】記録ヘッドの加圧回復動作時を示す模式図である。
【図６】希釈液の注入方法を示す模式図である。
【図７】温湿度に対する予備吐間隔、テストパターン時の暴露時間、それに別な実施例によるテストパターンの連続的なドット数を示す図である。
【図８】水分蒸発率に対するインク粘度変化を示す図である。
【図９】暴露時間に対して記録開始〜安定迄の所要ドット数の図である。
【図１０】インク粘度判定用チェックパターンと予想できる記録結果を示す図である。
【図１１】インク粘度判定パターン実行時のフローチャートである。
【図１２】インクリフレッシュする場合のフローチャートである。
【符号の説明】
【００９４】
１００  記録装置
１０２  記録ヘッド（Ｋ）
１０３  記録ヘッド（Ｃ）
１０４  記録ヘッド（Ｍ）
１０５  記録ヘッド（Ｙ）
１０６  インクカートリッジ（Ｋ）
１０７  インクカートリッジ（Ｃ）
１０８  インクカートリッジ（Ｍ）
１０９  インクカートリッジ（Ｙ）
１１２  回復ユニット（Ｋ）
１１３  回復ユニット（Ｃ）
１１４  回復ユニット（Ｍ）
１１５  回復ユニット（Ｙ）
１１６  サブタンク（Ｋ）
１１７  サブタンク（Ｃ）
１１８  サブタンク（Ｍ）
１１９  サブタンク（Ｙ）
１２０  先端検知センサ
１２１  オペレーションパネル
２００  ホストＰＣ
２０２  ＣＰＵ
２０３  ＲＯＭ
２０８  ＡＤコンバータ
２１０  温湿度センサ
３０４  ポンプ
３０７  希釈液タンク
３０８  希釈液
５０５  リサイクル弁
６０１  弁
６０２  攪拌用ブレード
【図１】
0004807877.tif 000002
【図２】
0004807877.tif 000003
【図３】
0004807877.tif 000004
【図４】
0004807877.tif 000005
【図５】
0004807877.tif 000006
【図６】
0004807877.tif 000007
【図７】
0004807877.tif 000008
【図８】
0004807877.tif 000009
【図９】
0004807877.tif 000010
【図１０】
0004807877.tif 000011
【図１１】
0004807877.tif 000012
【図１２】
0004807877.tif 000013